(57)【要約】【課題】ラグがレセプタクルから離脱することを防止することができ、所望の場合にはプラグをレセプタクルから容易に取り外すことが可能な基板を格納するための筐体を提供する。【解決手段】筐体２は、ケーブル７が接続されたプラグ６と第１の方向に沿って嵌合可能且つ第１の方向と逆方向である第２の方向に沿って離脱可能であり、プラグ６と嵌合しているときに第１又は第２の方向を軸としてプラグ６と相対的に回動可能なレセプタクル４が実装された基板３を格納するための筐体であって、第１の位置においてレセプタクル４に嵌合されたプラグ６が第１の方向を軸として第２の位置に回動されたときに、プラグ６が第２の方向に移動することを抑止する抑止部５を具備する。【選択図】  図１
2004273307.tif 000002
【特許請求の範囲】
【請求項１】
ケーブルが接続されたプラグと第１の方向に沿って嵌合可能且つ前記第１の方向と逆方向である第２の方向に沿って離脱可能であり、前記プラグと嵌合しているときに前記第１又は第２の方向を軸として前記プラグと相対的に回動可能なレセプタクルが実装された基板を格納するための筐体であって、
第１の位置において前記レセプタクルに嵌合された前記プラグが前記第１の方向を軸として第２の位置に回動されたときに、前記プラグが前記第２の方向に移動することを抑止する抑止部を具備する、筐体。
【請求項２】
前記抑止部が、前記第１の位置側において、前記第１の方向に凸状である凸状部分を含む、請求項１記載の筐体。
【請求項３】
前記抑止部の凸状部分が、前記第１又は第２の方向と垂直な面に対して所定の角度をなす側面を有する、請求項２記載の筐体。
【発明の詳細な説明】
【０００１】
【発明の属する技術分野】
本発明は、プラグと嵌脱可能なレセプタクルが実装された基板を格納するための筐体に関する。
【０００２】
【従来の技術】
従来より、ＧＰＳ（Ｇｌｏｂａｌ  Ｐｏｓｉｔｉｏｎｉｎｇ  Ｓｙｓｔｅｍ）モジュール等において、内部の基板と外部機器とを電気的に接続するための同軸ケーブルを着脱するために、一の方向に沿って嵌脱可能なレセプタクル及びプラグが用いられている（例えば、特許文献１参照）。
【０００３】
図９及び図１０は、従来のレセプタクル及びプラグを用いたＧＰＳモジュールを示す図である。
図９に示すように、ＧＰＳモジュール１１は、筐体１２を具備しており、筐体１２には、基板１３が格納されている。
【０００４】
筐体１２の図中手前側の隅部分には、開口部が設けられており、基板１３の図中手前側の隅部分には、レセプタクルが実装されている。
図９においては、基板１３に実装されたレセプタクルに、ケーブル１７が接続されたプラグ１６が嵌合されている。プラグ１６は、図９中の上下方向に沿ってレセプタクルと嵌脱可能である。
【０００５】
このようなＧＰＳモジュール１１においては、何らかの外力により、ケーブル１７が図中上方に押し上げられ、プラグ１６がレセプタクルから離脱してしまう場合があった。
このような事態を防止するため、図１０に示すように、筐体１２の開口部を覆うように板１８を取り付ける対策が施されていた。
【０００６】
しかしながら、上記のような対策では、板１８及びその取付工程が必要となり、コストアップを招いていた。また、メンテナンス等の理由により、プラグ１６をレセプタクルから取り外す場合に、板１８を取り外すか又はずらす必要があり、煩雑となっていた。
【０００７】
【特許文献１】
特開平９−３２０６９８号公報（第１頁、図１）
【０００８】
【発明が解決しようとする課題】
そこで、上記の点に鑑み、本発明は、基板を格納するための筐体であって、プラグがレセプタクルから離脱することを防止することができ、所望の場合にはプラグをレセプタクルから容易に取り外すことができる筐体を提供することを目的とする。
【０００９】
【課題を解決するための手段】
以上の課題を解決するため、本発明に係る基板を格納するための筐体は、ケーブルが接続されたプラグと第１の方向に沿って嵌合可能且つ第１の方向と逆方向である第２の方向に沿って離脱可能であり、プラグと嵌合しているときに第１又は第２の方向を軸としてプラグと相対的に回動可能なレセプタクルが実装された基板を格納するための筐体であって、第１の位置においてレセプタクルに嵌合されたプラグが第１の方向を軸として第２の位置に回動されたときに、プラグが第２の方向に移動することを抑止する抑止部を具備する。
【００１０】
ここで、抑止部が、第１の位置側において、第１の方向に凸状である凸状部分を含むようにしても良い。また、抑止部の凸状部分が、第１又は第２の方向と垂直な面に対して所定の角度をなす側面を有するようにしても良い。
【００１１】
以上の構成によれば、プラグがレセプタクルから離脱することを防止することができ、所望の場合にはプラグをレセプタクルから容易に取り外すことができる。
【００１２】
【発明の実施の形態】
以下、図面を参照しながら、本発明の実施の形態について説明する。
図１は、本発明に係る筐体を用いたＧＰＳユニットを示す図である。図１に示すように、ＧＰＳユニット１は、筐体２を具備しており、筐体２内には、基板３が格納されている。
【００１３】
筐体２の図中手前側の隅部分には、開口部が設けられており、基板３の図中手前側の隅部分には、レセプタクル４が実装されている。
レセプタクル４には、ケーブルが接続されたプラグを図１中のＩＩＩ方向から嵌着することが可能であり、レセプタクル４に嵌着されたプラグは、ＩＩＩ方向を軸として回動可能となる。
【００１４】
図２は、ＧＰＳユニット１を図１中のＩＩ方向から見た図である。レセプタクル４の図中上方には、ケーブルが接続されたプラグがレセプタクル４に嵌着された場合に、ケーブルが図中上方に移動することを抑止する抑止部５が形成されている。抑止部５は、図中の左側において下方向に凸状である凸部を有する。
図３は、ＧＰＳユニット１を図１中のＩＩＩ方向から見た図である。
【００１５】
図４は、ケーブル７が接続されたプラグ６をＧＰＳユニット１のレセプタクル４に嵌着した様子を示す図である。レセプタクル４に嵌着されたプラグ６は、図４中のＶ方向を軸として回動可能となる。図５は、ＧＰＳユニット１を図４中のＶ方向から見た図である。
図４及び図５において、ケーブル７を図４中のＶ方向に所定量押し下げるとともに、プラグ６及びケーブル７を図４中のＶ方向を軸として反時計回りに回動させると、ケーブル７が、抑止部５の凸部に係止される。図６は、ケーブル７が抑止部５の凸部に係止されている場合に、筐体２を図４中のＶＩ方向から見た図である。
【００１６】
図６に示すように、ケーブル７が抑止部５によって抑止されると、ケーブル７が外力によって図６中の下方向から上方向に向かって押し上げられた場合であっても、ケーブル７が図６中の上方向に移動することがない。そのため、プラグ６がレセプタクル４から離脱することを防止することができる。
また、ケーブル７が抑止部５の凸部に係止されているため、ケーブル７が外力によって図６中の右方向から左方向に向かって押された場合であっても、ケーブル７が図６中の左方向に移動することがない。すなわち、ケーブル７が、図４に示すような位置に移動することがない。そのため、プラグ６がレセプタクル４から離脱することを防止することができる。
【００１７】
一方、メンテナンス等の理由によりプラグ６をレセプタクル４から外す場合には、ケーブル７を図６中の下方向に所定量移動させるとともに図６中の左方向に移動させてケーブル７を抑止部５の凸部から離脱させる。そして、その後、プラグ６を図６中の上方向に移動させることにより、従来の筐体１２（図１０参照）と比較して、プラグ６を容易に外すことが可能となる。
【００１８】
なお、本実施形態においては、抑止部５の凸部を図２及び図６に示すような形状としているが、図７に示すような形状としても良い。抑止部５の凸部を図７に示すような形状とすれば、ケーブル７を抑止部５の凸部に係止させることを容易にすることができる。
また、本実施形態においては、図１に示すように、開口部を筐体２の図１中の手前側の隅部分に設けるとともに、レセプタクル４を基板３の図１中の手前側の隅部分に実装しているが、図８に示すように、筐体２の隅部分以外の部分に開口部を設けるとともに、レセプタクル４を基板３上の開口部に応じた位置に実装することとしても良い。
【図面の簡単な説明】
【図１】本発明に係る筐体を用いたＧＰＳモジュールを示す図。
【図２】筐体２を図１中のＩＩ方向から見た図。
【図３】筐体２を図１中のＩＩＩ方向から見た図。
【図４】筐体２内のレセプタクル４にプラグ６を嵌着した様子を示す図。
【図５】筐体２を図４中のＶ方向から見た図。
【図６】筐体２を図４中のＶＩ方向から見た図。
【図７】筐体２の抑止部５の他の例を示す図。
【図８】ＧＰＳモジュール１の他の例を示す図。
【図９】従来の筐体を用いたＧＰＳモジュールを示す図。
【図１０】従来の筐体を用いたＧＰＳモジュールを示す図。
【符号の説明】
１、１１  ＧＰＳモジュール、２、１２  筐体、３、１３  基板、４  レセプタクル、５  抑止部、６、１６  プラグ、７、１７  ケーブル、１８  板
【図１】
2004273307.tif 000003
【図２】
2004273307.tif 000004
【図３】
2004273307.tif 000005
【図４】
2004273307.tif 000006
【図５】
2004273307.tif 000007
【図６】
2004273307.tif 000008
【図７】
2004273307.tif 000009
【図８】
2004273307.tif 000010
【図９】
2004273307.tif 000011
【図１０】
2004273307.tif 000012